(57)【特許請求の範囲】
【請求項１】
エンクロージャーとしての筐体にダイナミック型のスピーカー本体が収容されてなるスピーカーであって、
上記筐体の壁部に、筐体内空間から筐体外部へスピーカー本体の振動板の振動によって発生する背圧の脈動を伝えることを可能にする開口部が備わり、その開口部の近傍に、当該開口部を流通する気流に対して芳香を拡散する機能を備えた芳香放出手段が装備されており、
上記筐体の２箇所に上記スピーカー本体が並べて収容され、それらのスピーカー本体の並び方向での相互間に、一対の孔空き仕切り板によって上記筐体内空間から仕切られてなる消音室が設けられ、上記壁部に具備された上記開口部が、この消音室を介して上記筐体内空間から上記筐体外部へスピーカー本体の振動板の振動によって発生する背圧の脈動を伝えることを可能にしていることを特徴とするスピーカー。
【請求項２】
エンクロージャーとしての筐体にダイナミック型のスピーカー本体が収容されてなるスピーカーであって、
上記筐体の壁部に、筐体内空間から筐体外部へスピーカー本体の振動板の振動によって発生する背圧の脈動を伝えることを可能にする開口部が備わり、その開口部の近傍に、当該開口部を流通する気流に対して芳香を拡散する機能を備えた芳香放出手段が装備されており、
上記筐体が円弧状の筒体でなり、この筒体の軸方向の両端部のそれぞれに、上記スピーカー本体が、上記軸方向で外向きに装備されていると共に、上記開口部が、上記筒体の軸方向中央部に位置していることを特徴とするスピーカー。
【請求項３】
上記筒体の軸方向中央部に消音領域が設けられ、上記壁部に具備された上記開口部が、この消音領域を介して上記筐体内空間から上記筐体外部へスピーカー本体の振動板の振動によって発生する背圧の脈動を伝えることを可能にしている請求項２に記載したスピーカー。
【請求項４】
上記芳香放出手段が、上記開口部に着脱可能な芳香成分を保持した環状体でなり、この環状体の中央孔部が上記開口部に連通されている請求項１ないし請求項３のいずれか１項に記載したスピーカー。
【請求項５】
上記開口部にドローンコーンとしての振動板が装備され、上記芳香放出手段が、この振動板に芳香成分を保持させてなる請求項１ないし請求項３のいずれか１項に記載したスピーカー。
【発明の詳細な説明】
【技術分野】
【０００１】
本発明は、スピーカー、特に、スピーカー本体の振動板の振動によって発生する背圧の脈動を利用して当該スピーカーの周囲に芳香を拡散させるための対策が講じられたスピーカーに関する。
【背景技術】
【０００２】
オーディオ機器や各種放送設備に使用されているスピーカーについては、音質調節のために種々の対策が講じられている。また、ダイナミック型のスピーカー本体をエンクロージャーとしての筐体に装備させたスピーカーでは、スピーカー本体の振動板の振動によって出力された音をそのままスピーカーボックスの外部に向けて放出する構造になっている。たとえば、先行例としての特許文献１には、仕切り部材によって第１空間と第２空間とに分割されたキャビネット（エンクロージャーに相当する。）の第１空間の前面パネルにダイナミック型のスピーカー手段（スピーカー本体に相当する。）を設け、仕切り部材にドローンコーンを設け、第２空間の前面パネルにポート管を設けてなるスピーカーシステムが開示されている。
【０００３】
一般的に、エンクロージャーとしての筐体にダイナミック型のスピーカー本体を装備させたスピーカーでは、スピーカー本体が振動板とこの振動板を駆動するための電磁気回路とを有していて、筐体は、スピーカー本体の背部から筐体内空間に出る音を封じ込めて筐体外部に出る音と干渉させないようにする機能を発揮する。また、スピーカーにおいて、筐体に設けられるポート（上記ポート管に相当する。）はヘルツホルム共鳴の原理でスピーカー本体の背部へ放出された低音域の音を共振増強して筐体の外部へ放出する作用を発揮する。さらに、ドローンコーンは、上記したスピーカー本体から電磁気回路を省略することによって構成されていて、同じ筐体に取り付けられている電磁気回路を有するスピーカー本体によって受動的に動作する要素である。
【０００４】
上掲の特許文献１に示されているスピーカーシステムに見られるように、従来より周知のスピーカーは、スピーカー本体やポート、ドローンコーンのそれぞれの作用を利用して音質調節による効果を利用者に享受させようとするものが多かった。
【先行技術文献】
【特許文献】
【０００５】
【特許文献１】実開平３−５１５９８号公報
【発明の概要】
【発明が解決しようとする課題】
【０００６】
本発明は、以上の状況に鑑みてなされたものであり、従来周知のスピーカーとは異なる態様、具体的にはスピーカー本体の振動板の振動によって発生する背圧の脈動を利用して芳香をスピーカーの周囲に拡散させるという態様を採用することによって、利用者の生活環境をよりよく改善することを目的としている。また、本発明は、特に、快適な入眠環境を整えて利用者を良質な睡眠状態に導入することに役立つスピーカーを提供することを目的とする。
【課題を解決するための手段】
【０００７】
本発明に係るスピーカーは、エンクロージャーとしての筐体にダイナミック型のスピーカー本体が収容されてなる。そして、上記筐体の壁部に、筐体内空間から筐体外部へスピーカー本体の振動板の振動によって発生する背圧の脈動を伝えることを可能にする開口部が備わり、その開口部の近傍に、当該開口部を流通する気流に対して芳香を拡散する機能を備えた芳香放出手段が装備されている。
【０００８】
このように構成されたスピーカーによると、スピーカー本体やエンクロージャーとしての筐体がそれら本来の作用を発揮するだけでなく、芳香放出手段が、筐体の開口部を流通する気流に対して芳香を拡散する。そして、筐体の開口部を流通する気流のうち、スピーカー本体の振動板の振動に伴う背圧の脈動によって筐体内空間から筐体の外部へ押し出される気流が芳香をスピーカーの周囲に運んで拡散させることにより、利用者の生活環境が芳香によって改善される。また、芳香の種類を適宜選択することによって、芳香を利用者の快適な入眠のために利用することも可能である。
【０００９】
この発明では、さらに、上記構成に加えて、上記筐体の２箇所に上記スピーカー本体が並べて収容され、それらのスピーカー本体の並び方向での相互間に、一対の孔空き仕切り板によって上記筐体内空間から仕切られてなる消音室が設けられ、上記壁部に具備された上記開口部が、この消音室を介して上記筐体内空間から上記筐体外部へスピーカー本体の振動板の振動によって発生する背圧の脈動を伝えることを可能にしている、という構成を採用することが可能である。この構成を採用すると、芳香を気流と共にスピーカーの周囲に拡散させる機能を発揮する開口部からの中高音域の音漏れが、消音室の作用によって軽減されるという利点があり、この利点により、エンクロージャーとしての筐体の本来の作用が損なわれにくくなる。
【００１０】
本発明に係る別のスピーカでは、エンクロージャーとしての筐体にダイナミック型のスピーカー本体が収容されてなる。そして、上記筐体の壁部に、筐体内空間から筐体外部へスピーカー本体の振動板の振動によって発生する背圧の脈動を伝えることを可能にする開口部が備わり、その開口部の近傍に、当該開口部を流通する気流に対して芳香を拡散する機能を備えた芳香放出手段が装備されているという構成に加えて、上記筐体が円弧状の筒体でなり、この筒体の軸方向の両端部のそれぞれに、上記スピーカー本体が、上記軸方向で外向きに装備されていると共に、上記開口部が、上記筒体の軸方向中央部に位置している、という構成を採用することが可能である。また、上記筒体の軸方向中央部に消音領域が設けられ、上記壁部に具備された上記開口部が、この消音領域を介して上記筐体内空間から上記筐体外部へスピーカー本体の振動板の振動によって発生する背圧の脈動を伝えることを可能にしている、という構成を採用することも可能である。これらの構成を採用すると、上記した芳香拡散作用や音漏れ軽減作用が発揮されるだけでなく、スピーカーに、汎用的ではない斬新な外観が付与される。
【００１１】
本発明においては、上記芳香放出手段が、上記開口部に着脱可能な芳香成分を保持した環状体でなり、この環状体の中央孔部が上記開口部に連通されている、という構成を採用することが望ましい。この構成の芳香放出手段を採用すると、開口部を流通する気流が芳香放出手段の中央孔部を通過するので、芳香放出手段からの気流への芳香の拡散が効率よく行われる。
【００１２】
本発明では、上記開口部にドローンコーンとしての振動板が装備され、上記芳香放出手段が、この振動板に芳香成分を保持させてなる、という構成を採用することが可能である。上記したようにドローンコーンはダイナミック型のスピーカー本体から電磁気回路を省略したものに相当していて、その振動板が、同じ筐体に取り付けられているダイナミック型の電磁気回路を有するスピーカー本体の振動板の振動によって発生する背圧の脈動によって受動的に動作する。そのため、この構成のスピーカーにおいて、ドローンコーンの振動板の振動により筐体外部Ｓ２へ伝えられた脈動により生じる気流により、芳香をドローンコーンの前方に運んでスピーカーの周囲に拡散させる。
【発明の効果】
【００１３】
以上のように、本発明に係るスピーカーによると、スピーカー本体及びエンクロージャーとしての筐体の作用に加えて、スピーカー本体の振動板によって生じる背圧を利用して芳香を放出するので、利用者の生活環境を音と芳香とによってよりよく改善することに役立つ。しかも、芳香の種類を適宜選択することによって、スピーカー本体から出る音と共に、芳香を利用者の快適な入眠のために利用することが可能になるという効果が奏される。
【図面の簡単な説明】
【００１４】
【図１】ダイナミック型のスピーカー本体を備えるスピーカーの外観斜視図である。
【図２】図１のスピーカーの縦断側面図である。
【図３】芳香放出手段が装備された開口部の形成箇所の構造の一例を説明的に示した断面図である。
【図４】芳香放出手段が装備された開口部の形成箇所の構造の他の例を説明的に示した断面図である。
【図５】本発明の第１実施形態によるスピーカーの概略斜視図である。
【図６】図５のスピーカーを背部から見て示した縦断面図である。
【図７】第２実施形態によるスピーカーの概略斜視図である。
【図８】図７のスピーカーの縦断面図である。
【図９】第１回路基板の説明図である。
【図１０】第２回路基板の説明図である。
【図１１】第３実施形態によるスピーカーの概略斜視図である。
【図１２】図１１のスピーカーの横断平面図である。
【発明を実施するための形態】
【００１５】
図１はダイナミック型のスピーカー本体を備えるスピーカーの外観斜視図、図２は図１のスピーカーの縦断側面図である。このスピーカーは、エンクロージャーとしての中空箱形の筐体１０の前壁１１に設けられた円形のスピーカー取付口１２に、ダイナミック型のスピーカー本体５０が前向きに取り付けられている。エンクロージャーとしての筐体１０は、スピーカー本体５０の背部から筐体内空間Ｓ１に出る音を封じ込めて筐体外部Ｓ２に出る音と干渉させないようにする機能を発揮する。また、スピーカー本体５０は、コーン型の振動板５１とこの振動板５１を駆動するための電磁気回路５２とを有していて、電磁気回路５２の作用によって振動板５１が振動する、そして、振動板５１が振動すると、スピーカー本体５０の前方に音が放出されるのに対し、スピーカー本体５０の後方には、図２矢印で示したように背圧の脈動が発生する。
【００１６】
本発明に係るスピーカは、エンクロージャーとしての筐体１０にダイナミック型のスピーカー本体５０が収容されているという点で、図１のスピーカと同様であるけれども、筐体１０の壁部に、筐体内空間から筐体外部へスピーカー本体５０の振動板の振動によって発生する背圧の脈動を伝えることを可能にする開口部が備わり、その開口部の近傍に、当該開口部を流通する気流に対して芳香を拡散する機能を備えた芳香放出手段が装備されている、という構成を併せて有している。
【００１７】
図３及び図４は、芳香放出手段３０が装備された上記の開口部１３の形成箇所を説明的に示した断面図である。本発明に係るスピーカにおいて、開口部１３を形成する箇所である筐体１０の壁部は、筐体１０が備える前壁、後壁、上壁、底壁、左右の側壁などから、それらのうちの１つの壁部又は複数の壁部が選択される。そして、開口部１３を通してスピーカー本体の背部の筐体内空間Ｓ１と筐体外部Ｓ２とが連通されて、筐体内空間Ｓ１と筐体外部Ｓ２とを連通させて空気流通を可能にすることにより、筐体内空間Ｓ１から筐体外部Ｓ２へスピーカー本体の振動板１５の振動によって発生する背圧の脈動を伝えることを可能にしている。また、その開口部１３に、当該開口部１３を流通する気流に対して芳香を拡散する機能を備えた芳香放出手段が装備されている。
【００１８】
図３の事例において、符号１５は上記筐体の前壁、後壁、上壁、底壁、左右の側壁から選ばれた任意の壁部を示している。図３に示した芳香放出手段３０が装備された開口部１３の形成箇所では、壁部１５に、筐体内側に向けて突出した有底筒状の凹入部１６が設けられていて、その凹入部１６の底部に、上記開口部１３と同心の孔部１７が備わっている。そして、その凹入部１６に、所定の芳香成分を保持している芳香放出手段３０が収容されている。この芳香放出手段３０は、ドーナツ形ないし平面視円形の環状体でなる。また、凹入部１６に芳香放出手段３０を収容させた状態では、環状体でなる芳香放出手段３０の中央孔部３１が開口部１３及び孔部１７に連通している。図３に示した開口部１３に対する芳香放出手段３０の装着状態（装着構造）は、筐体の上壁が壁部１５として選択される場合に好ましく採用される。なお。芳香放出手段３０は、凹入部１６の底部に図示のように単に載置されているだけであってもよい。あるいは、図示していないけれども、芳香放出手段３０の直径を凹入部１６の内径に合わせて製作しておき、その芳香放出手段３０を凹入部１６に容易に脱落しない状態に嵌着されていてもよい。これらいずれの場合でも、芳香放出手段３０は開口部１３に着脱可能であるので、異なる芳香を放出する芳香放出手段３０に取り替えたい場合や、芳香放出手段３０に保持された芳香成分が減少して芳香放出作用が十分に発揮されなくなった場合に、芳香放出手段３０を取り替えることが容易に可能である。
【００１９】
図４の事例においても、上記同様に符号１５は上記筐体の前壁、後壁、上壁、底壁、左右の側壁から選ばれた任意の壁部を示している。図４に示した芳香放出手段３０が装備された開口部１３の形成箇所では、壁部１５に、筐体外側に向けて突出した筒状の突出部１８が設けられている。また、筒状の突出部１８の内部に、孔部２２を有する仕切り板部２１が設けられている。さらに、その仕切り板部２１の内面側に円環状の磁石２３が固定されているのに対し、環状体でなる芳香放出手段３０の裏面側に円環状の金属板２５が固定されている。そして、芳香放出手段３０を突出部１８に挿入してその金属板２５を仕切り板部２１に重ねると、金属板２５が磁石２３に引き寄せられて芳香放出手段３０が突出部１８内に位置決めされるようになっている。このように、芳香放出手段３０は、突出部１８内で、仕切り板部２１に重なり合った状態で開口部１３に装備されている。この芳香放出手段３０は、ドーナツ形ないし平面視円形の環状体でなる。また、突出部１８に芳香放出手段３０を収容させた状態では、環状体でなる芳香放出手段３０の中央孔部３１が孔部２２や開口部１３に連通している。図４に示した開口部１３に対する芳香放出手段３０の装着状態（装着構造）は、筐体の上壁が壁部１５として選択される場合のほか、筐体の側壁が壁部１５として選択される場合にも好ましく採用される。この構成であっても、芳香放出手段３０は開口部１３に容易に着脱可能である。そのため、上記同様に、異なる芳香を放出する芳香放出手段３０に取り替えたい場合や、芳香放出手段３０に保持された芳香成分が減少して芳香放出作用が十分に発揮されなくなった場合に、芳香放出手段３０を取り替えることが容易に可能である。
【００２０】
スピーカーが、図３又は図４を参照して説明した芳香放出手段３０の装着構造を備えていると、スピーカー本体５０の振動板５１の振動に伴う背圧の脈動により、筐体内空間Ｓ１と筐体の外部Ｓ２との間で、開口部１３や芳香放出手段３０の中央孔部３１を通過する気流が生じる。そのため、筐体１０の開口部１３を流通する気流に対して芳香放出手段３０が芳香を拡散する。そして、筐体１０の開口部１３を流通する気流のうち、上記背圧の脈動によって図３又は図４に示した矢印のように筐体内空間Ｓ１から筐体の外部Ｓ２へ押し出される気流が芳香をスピーカーの周囲に運んで拡散させる。これにより、利用者の生活環境が芳香によって改善される。
【００２１】
芳香放出手段３０は、円環状に形成された多孔質体に芳香成分を含侵保持されることによって構成することができ、その多孔質体には、素焼き陶磁器やセラミックなどの素材でなる無機質多孔質素材、繊維質多孔質素材、といった各種の多孔質体を使用することが可能である。そして、その芳香放出手段３０に保持させる芳香の種類を適宜選択することも可能であり、そうすることによって芳香を利用者の快適な入眠のために利用することも可能である。
【００２２】
図５は本発明の第１実施形態によるスピーカーの概略斜視図である。図６は図５のスピーカーを背部から見て示した縦断面図である。このものでは、筐体１０の内部の左右２箇所にダイナミック形のスピーカー本体５０，５０が並べて収容され、それらのスピーカー本体５０，５０の並び方向での相互間に、一対の孔空き仕切り板６１，６１によって、筐体内空間Ｓ１，Ｓ１から仕切られた消音室６０が設けられ、筐体１０の壁部に具備された開口部１３が、この消音室６０を介して筐体内空間Ｓ１，Ｓ１と筐体外部Ｓ２とを連通させて空気流通を可能にすることにより、筐体内空間Ｓ１から筐体外部Ｓ２へスピーカー本体５０の振動板５１の振動によって発生する背圧の脈動を伝えることを可能にしている。６２は仕切り板６１に設けられている孔部を示している。なお、開口部１３には、図３を参照して説明した装着構造を利用して芳香放出手段３０が装備されている。
【００２３】
このスピーカーによると、開口部１３を通じて、芳香が気流と共にスピーカーの周囲に拡散する。また、一対の孔空き仕切り板６１，６１によって、左右のスピーカー本体５０，５０の逆相の音の干渉を防ぐ。そして、開口部１３からの主に中高音域の音漏れが、消音室６０の作用によって軽減されるという利点があり、この利点により、エンクロージャーとしての筐体１０の本来の作用が損なわれにくくなる。なお、消音室６０は、一対の孔空き仕切り板６１，６１の相互間にガラスウールその他の繊維質素材を装填することによって構成されている。
【００２４】
また、上記のように、第１実施形態では、一対の孔空き仕切り板６１，６１を備えることにより、左右のスピーカー本体５０，５０の逆相の音の干渉を防ぐと共に消音室６０が設けられるが、第１実施形態において一対の孔空き仕切り板６１，６１を設けない場合であっても、エンクロージャーとしての筐体１０の本来の作用は多少損なわれるものの、開口部１３を通じて、芳香を気流と共にスピーカーの周囲に拡散させることができる。
【００２５】
図７は第２実施形態によるスピーカーの概略斜視図、図８は図７のスピーカーの縦断面図である。このスピーカーは、エンクロージャーとしての筐体１０が円弧状の円筒体でなり、その円筒体の軸方向の両端部のそれぞれに、ダイナミック型のスピーカー本体５０が、上記軸方向で外向きに装備されている。また、図８に破線で示したように、円筒体でなる筐体１０の壁部の軸方向中央部の側面に開口部１３が設けられていて、この開口部１３に、図４を参照して説明した装着構造を利用して芳香放出手段３０が装備されている。さらに、図８に示したように、上記した２つのスピーカー本体５０，５０のそれぞれに、誘導ダクト７１，７１が設けられていて、これらの誘導ダクト７１，７１に具備されている流線形の絞り出口７２，７２が上記開口部１３の形成箇所に向けて開口している。
【００２６】
この実施形態のスピーカーによると、２つのスピーカー本体５０，５０の振動板の振動に伴う背圧の脈動により、誘導ダクト７１，７１の流線形の絞り出口７２，７２から気流が放出され、その気流が開口部１３やその開口部１３に装備された芳香放出手段３０の中央孔部３１を通過するときに芳香が気流中に拡散され、その気流が筐体１０の外部Ｓ２へ押し出されて芳香をスピーカーの周囲に運んで拡散させる。
【００２７】
また、この実施形態においても、筐体１０の内部の開口部１３の形成箇所を含む一定領域に、消音作用を発揮するガラスウールその他の繊維質素材でなる消音材７３が装填されている。これにより、開口部１３からの音漏れが軽減されるという利点が得られ、この利点により、エンクロージャーとしての筐体１０の本来の作用が損なわれにくくなる。
【００２８】
さらに、この実施形態では、円弧状の円筒体でなる筐体１０に三日月形の把手８１が設けられていて、この把手８１の内部に第１回路基板８２が収容されている。また、筐体１０の軸方向中央部の外側に第２回路基板８３が装備されていて、この第２回路基板８３が図示していないカバーで覆われている。
【００２９】
図９は第１回路基板８２の説明図、図１０は第２回路基板８３の説明図である。図９に示した第１回路基板８２は、スピーカー本体５０，５０の制御ボタン、具体的には駆動開始停止ボタン８４、音量調節用ボタン８５、その他の必要とされるモード切り替えボタン８６などが搭載されている。さらに、この第１回路基板８２には、光源としてのＬＥＤ８７が搭載されている。このＬＥＤ８７は、把手８１に設けられた透明な窓（不図示）から所定の色の光を放出してスピーカーの周囲を照明する。そのため、ＬＥＤ８７による照明作用が、上記したような芳香の拡散と共働して利用者の生活環境を改善したり、利用者の快適な入眠を誘導したりすることに役立つ。また、図１０に示した第２回路基板８３には、ＡＣアダプタ接続コネクタ８８やオーディオ入力コネクタ８９などが搭載されている。
【００３０】
上記の第１、２実施形態では、芳香放出手段３０を開口部１３に装備しているが、芳香放出手段３０を、筺体１０の内部の開口部１３の近傍に備えてもよいし、筺体外側の壁部であって開口部１３の近傍に装備してもよい。その場合の芳香放出手段３０としてはドーナツ形ないし平面視円形の環状体で無くともよく、皿にアロマオイルを垂らしたものを芳香放出手段３０としてもよい。
【００３１】
図１１は第３実施形態によるスピーカーの概略斜視図、図１２は図１１のスピーカーの横断平面図である。このスピーカーは、エンクロージャーとしての箱形の筐体１０に、ダイナミック型のスピーカー本体５０とドローンコーン９０の振動板９１が装備されている。スピーカー本体５０は、筐体１０の前壁１１のスピーカー取付口１２に取り付けられているのに対して、ドローンコーン９０が取り付けられているスピーカー取付口１２は、筐体内空間Ｓ１と筐体外部Ｓ２とを連通させて空気流通を可能にする開口部１３としての機能を発揮するようになっており、その開口部１３にドローンコーン９０の振動板９１を取り付けることにより、筐体内空間Ｓ１から筐体外部Ｓ２へスピーカー本体５０の振動板５１の振動によって発生する背圧の脈動を伝えることを可能にしている。そして、この実施形態では、ドローンコーン９０の振動板９１に芳香成分を保持させることによって芳香放出手段３０を構成している。このスピーカーによると、ダイナミック型のスピーカー本体５０によってドローンコーン９０の振動板９１が受動的に動作し、そのような振動板９１の振動によって生じた気流に芳香が拡散され、その芳香が気流によって開口部１３を経てドローンコーン９０の前方に運ばれてスピーカーの周囲に拡散する。
【００３２】
この実施形態では、ドローンコーン９０の振動板９１に芳香成分を補充する手段として、図１１に示したように、筐体１０の上壁に小孔９２を設け、この小孔９２を利用して、筐体１０の外部からスポイトなどを使ってドローンコーン９０の振動板９１に液体の芳香成分を滴下することができるようになっているが、筐体１０の外部からドローンコーン９０の振動板９１の表面に直接に液体の芳香成分を滴下してもよい。ドローンコーン９０の振動板９１には、繊維質素材、紙、皮革といった液体の芳香成分を含侵させることが可能な素材を用いてもよいし、振動板９１をプラスチックや金属の素材として、その振動板９１に素焼き陶磁器やセラミックなどの素材でなる無機質多孔質素材、繊維質多孔質素材、といった各種の多孔質体を取り付けて芳香成分を含侵保持することによって構成してもよい。
【００３３】
また、上記の第１、２実施形態における芳香放出手段３０としてドローンコーン９０を採用してもよく、その場合には、第１、２実施形態における開口部１３に見合った径を持つドローンコーン９０の振動板９１を開口部１３取り付ければよい。
【符号の説明】
【００３４】
１０  筐体
１３  開口部
１５  筐体の壁部
３０  芳香放出手段
３１  環状体の中央孔部
５０  スピーカー本体
６０  消音室
６１  孔空き仕切り板
９０  ドローンコーン
９１  振動板
Ｓ１  筐体内空間
Ｓ２  筐体外部
【図１】
0006393249.tif 000002
【図２】
0006393249.tif 000003
【図３】
0006393249.tif 000004
【図４】
0006393249.tif 000005
【図５】
0006393249.tif 000006
【図６】
0006393249.tif 000007
【図７】
0006393249.tif 000008
【図８】
0006393249.tif 000009
【図９】
0006393249.tif 000010
【図１０】
0006393249.tif 000011
【図１１】
0006393249.tif 000012
【図１２】
0006393249.tif 000013